(57)【要約】【課題】簡単かつ安全に、新しい注射針を注射器本体に取付け、かつ、使用済の注射針を取外して、容易に廃棄し得る注射針の廃棄容器を提供する。【解決手段】容器本体１と蓋２を備え、注射器本体と注射針４から成る注射器から、使い終わった後の注射針４を取外して廃棄するための注射針の廃棄容器に於て、蓋２は、天井壁部１４と周壁部１７を備え、天井壁部１４に凹窪部１２が形成されると共に凹窪部１２の底面に円錐状筒部１０が立設され、筒部１０の内周面によって形成されるテーパー状孔部１６には、注射針４が収納される針ケース５を挿入可能とし、かつ、針ケース５の外周面に設けられた凸凹部１５に係止する回転規制用凹凸面１３を有し、さらに、筒部１０の上端部１１には、突き落とし用押ピン部材７が上下方向スライド自在に設けられている。【選択図】図１
2015139623.tif 000002
【特許請求の範囲】
【請求項１】
容器本体（１）と蓋（２）を備え、注射器本体（３）と注射針（４）から成る注射器（Ｓ）から、使い終わった後の上記注射針（４）を取外して廃棄するための注射針の廃棄容器に於て、
上記蓋（２）は、天井壁部（１４）と周壁部（１７）を備え、上記天井壁部（１４）に凹窪部（１２）が形成されると共に該凹窪部（１２）の底面に円錐状筒部（１０）が立設され、該筒部（１０）の内周面によって形成されるテーパー状孔部（１６）には、上記注射針（４）が収納される針ケース（５）を挿入可能とし、かつ、該針ケース（５）の外周面に設けられた凸凹部（１５）に係止する回転規制用凹凸面（１３）を有し、さらに、上記筒部（１０）の上端部（１１）には、突き落とし用押ピン部材（７）が上下方向スライド自在に設けられていることを特徴とする注射針の廃棄容器。
【発明の詳細な説明】
【技術分野】
【０００１】
本発明は、注射器から使用済の注射針を取外して廃棄する注射針の廃棄容器に関する。
【背景技術】
【０００２】
糖尿病患者は、１日に数回インスリンを投与することがあり、患者自身でインスリンを簡単に注射できるように、ペン型注射器（図４参照）が開発され、既に、多くの糖尿病患者に使用されている。図４に示すように、ペン型注射器Ｓは、注射器本体３に着脱自在に装着される注射針４を有し、この注射針４は、１回使用する度に新しいものに交換される。注射針４の交換の際に、直接手で注射針４を取り外すと、針が指に刺さる虞れがあり、危険性が指摘されていた。そこで、使用済の注射針４を取外して廃棄するための注射針用廃棄容器が提案されている（特許文献１参照）。
【先行技術文献】
【特許文献】
【０００３】
【特許文献１】特開２００５−１０２９３２号公報
【発明の概要】
【発明が解決しようとする課題】
【０００４】
しかし、特許文献１記載のような従来の注射針用廃棄容器は、注射器本体から使用済の注射針を離脱させることはできるが、注射器本体に新しい注射針を取付ける際には、手で注射針を取り付けなければならなかった。
一般に、糖尿病患者は、合併症による視力の低下や、手指の痺れ等の障害を抱える場合が多く、注射針の極めて細い針を注射器本体に設けられたゴム栓に刺して取付ける等の細かな操作が至難であった。
【０００５】
また、特許文献１では、注射器本体から取外した使用済の注射針が、次回の注射針の取外しの時まで挿入孔内に留まって、後から廃棄される注射針に押し出されて容器に突き落されるように構成されている。この際、注射針を後から無理矢理に押し込むと、針体が曲がったり折れたりする危険性があり、また、糖尿病患者にとっては、強引に注射針を押し込むことが容易でないという欠点があった。
【０００６】
そこで、本発明は、簡単かつ安全に、新しい注射針を注射器本体に取付け、かつ、使用済の注射針を取外して、容易に廃棄し得る注射針の廃棄容器を提供することを目的とする。
【課題を解決するための手段】
【０００７】
本発明に係る注射針の廃棄容器は、容器本体と蓋を備え、注射器本体と注射針から成る注射器から、使い終わった後の上記注射針を取外して廃棄するための注射針の廃棄容器に於て、上記蓋は、天井壁部と周壁部を備え、上記天井壁部に凹窪部が形成されると共に該凹窪部の底面に円錐状筒部が立設され、該筒部の内周面によって形成されるテーパー状孔部には、上記注射針が収納される針ケースを挿入可能とし、かつ、該針ケースの外周面に設けられた凸凹部に係止する回転規制用凹凸面を有し、さらに、上記筒部の上端部には、突き落とし用押ピン部材が上下方向スライド自在に設けられているものである。
【発明の効果】
【０００８】
本発明の注射針の廃棄容器によれば、注射針に直接手を触れることなく、安全に新しい注射針を取付け、かつ、使用済の注射針の取外しができる。押ピン部材を押すことで、小さな力で、簡単に、注射針が収納された針ケースを、テーパー状孔部から容器本体に突き落として廃棄することができる。また、テーパー状孔部が大きく開口している為、針ケースの挿入が容易である。即ち、手指が不自由であったり視力が弱いなどのハンディキャップを持つ糖尿病患者が、安全かつ簡単に、注射針の取付け、及び、取外し、さらに、廃棄までをスムーズに行うことができる。構造が簡素で、製造が容易であり、コストを低減できる。
【図面の簡単な説明】
【０００９】
【図１】本発明の実施の一形態を示した断面正面図である。
【図２】図１のＡ−Ａ断面図である。
【図３】他の円錐状筒部の断面平面図である。
【図４】注射器の説明用斜視図である。
【図５】未使用の注射針及び針ケースの説明用正面図である。
【図６】注射針の廃棄容器の使用方法を説明するための断面正面図である。
【図７】注射針の廃棄容器の使用方法を説明するための断面正面図である。
【図８】注射器の使用状態を示す正面図である。
【図９】注射針の廃棄容器の使用方法を説明するための断面正面図である。
【図１０】注射針の廃棄容器の使用方法を説明するための断面正面図である。
【図１１】注射針の廃棄容器の使用方法を説明するための断面正面図である。
【発明を実施するための形態】
【００１０】
以下、実施の形態を示す図面に基づき本発明を詳説する。
図１に示すように、本発明の注射針の廃棄容器は、容器本体１と蓋２を備え、注射器Ｓ（図４参照）から、使い終わった後の注射針４を取外して廃棄するための廃棄容器である。
図４に示すように、注射器Ｓは、ペン型の注射器本体３と、注射器本体３に着脱自在に装着される注射針４とを、有している。注射針４は、針体８と、針体８を保持する有底筒状の保持部材（ハブ）９と、から成り、保持部材９の内周面には、雌ネジ部１９が形成されている。また、保持部材９の外周面には、複数の溝部２０が軸心方向に沿って形成されている。注射器本体３は、先端部３Ａの外周面に、保持部材９の雌ネジ部１９と螺合する雄ネジ部１８が形成されている。また、図７に示すように、注射器本体３の内部には、薬液Ｍを内有しており、この薬液Ｍを収納するシリンジ部２３の先端部側は、針体８が刺通可能なゴム栓２１によって封止されている。なお、薬液Ｍとしては、例えば、インスリン製剤、あるいは、その他の注射用薬であっても良い。
【００１１】
図５に示すように、通常、未使用の注射針４は、針体８を保護するための針キャップ６が取着され、かつ、注射針４全体を収納可能な針ケース５によって保護されている。
針ケース５は、合成樹脂製であって、注射針４を挿入可能な開口部を有する大径円筒部５ａと、テーパー筒部５ｂと、小径円筒部５ｃが一体に形成されている。針ケース５の外周面には凸凹部１５が設けられている。
注射器Ｓを使用する際は、注射器本体３の先端部３Ａの雄ネジ部１８に、保持部材９の雌ネジ部１９を螺合させて、注射針４を注射器本体３の先端部３Ａに螺着する。この状態で、注射器本体３内部のゴム栓２１には、針体８が刺通し、薬液Ｍに圧力を加えると、薬液Ｍが針体８を介して注射器本体３の外部に流れ出るように構成されている。
【００１２】
図１に示すように、本発明の注射針の廃棄容器に於て、蓋２は、天井壁部１４と周壁部１７を備え、天井壁部１４に凹窪部１２が形成されると共に凹窪部１２の底面に円錐状筒部１０が立設されている。
容器本体１は、合成樹脂から成り、有底円筒状に形成されている。容器本体１の上部を覆うように蓋２を取着することで、取り外された注射針４及び針ケース５が収納される収納空間３０が形成されている。図１では、容器本体１が上端部外周面に雄ネジを有し、かつ、蓋２が周壁部１７の下端部内周面に雌ネジを有し、容器本体１と蓋２は相互に螺着されている。
蓋２は、容器本体１と同様に合成樹脂をもって作製され、天井壁部１４の中央に平面視円形状の凹窪部１２が形成されている。天井壁部１４は、凹窪部１２を囲む上端面１４ａが円環状に残留し、かつ、残った上端面１４ａは平坦（水平）面状に形成されている。
【００１３】
また、筒部１０の内周面によって形成されるテーパー状孔部１６には、注射針４が収納される針ケース５を挿入可能とし、かつ、針ケース５の外周面に設けられた凸凹部１５に係止する回転規制用凹凸面１３を有している。
図２に示すように、凹凸面１３は、筒部１０の内周面に凹設された複数の凹部２２によって形成され、この凹部２２に、針ケース５の外周面に設けられた凸凹部１５が噛合することにより、針ケース５の回転を規制している。図２では、凹部２２は、８本が等ピッチで放射状に配置されているが、針ケース５の回転を規制できる限度内での変更であれば、これに限定されることなく、本数を増減し、配置を変更するも自由である。また、図３に示すように、凹凸面１３は、筒部１０の内周面に突設された複数の凸部２４によって形成されていても良い。この場合、隣接する凸部２４，２４の間に、針ケース５の外周面に設けられた凸凹部１５が噛み合うことにより、針ケース５の回転を規制する。なお、凸部２４は、増減可能とし、かつ、配置変更可能とする。テーパー状孔部１６に針ケース５を挿入した状態（図６参照）で針ケース５が全て埋まるように構成されている。安全上の観点から針ケース５をテーパー状孔部１６に挿入した後は、手で引き抜けないようにするのが、好ましい。
【００１４】
図１に示すように、筒部１０の上端部１１には、突き落とし用押ピン部材７が上下方向スライド自在に設けられている。
押ピン部材７は、円盤状の押板部２５と、押板部２５の下面中央位置に垂設される軸部２６とを、有している。即ち、押ピン部材７の断面形状は、略Ｔ字状である。軸部２６は、下端部に抜け止め用かえし部２６ａを備え、かつ、下方に開口する孔部２６ｂが形成されている。押ピン部材７は、ストロークｈをもって上下方向スライド（引出し）自在であり、最も引き出された状態に於て、蓋２の天井壁部１４より突出しないように構成されている。
【００１５】
上述した本発明の注射針の廃棄容器の使用方法（作用）について説明する。
まず、容器本体１から蓋２を取外し、図６に示すように、蓋２を上下反転して設置する。蓋２は、平坦面状上端面１４ａを下にして載置され、テーパー状孔部１６を上方開口状として、安定して設置される。次に、未使用の注射針４が収納された針ケース５を、テーパー状孔部１６に挿入する。針ケース５の小径円筒部５ｃに比較して、テーパー状孔部１６は十分大きく開口している為、針ケース５をテーパー状孔部１６に容易に挿入できる。この際、テーパー状孔部１６内の凹凸面１３に、針ケース５の外周面に設けられた凸凹部１５を係止して、針ケース５を非回転状に保持する。
次に、図７に示すように、注射針４の保持部材９に、注射器本体３の先端部３Ａを差し込んで、注射器本体３を回転させ、注射器本体３に（未使用の）注射針４を螺着する。この際、注射針４の針体８が注射器本体３の内部のゴム栓２１を刺通し、薬液Ｍを収納するシリンジ部２３内に連通する。そして、注射器本体３を上方に持ち上げて、針ケース５から注射針４を引抜いて、注射針４の取付けが完了する。この際、針ケース５は、テーパー状孔部１６内に残留する。
【００１６】
図８に示すように、注射針４に取着されている針キャップ６を取り除き、患者自身の皮膚Ｚに注射針４（針体８）を刺す。皮膚Ｚの下にインスリンを注入し終わったら、注射針４（針体８）を抜く。
次に、図９に示すように、使用済の注射針４を、テーパー状孔部１６に保持されている針ケース５に差し込んで、注射器本体３を（螺退方向に）回転させ、注射器本体３から（使用済の）注射針４を取外す。
【００１７】
図１０に示すように、テーパー状孔部１６に注射針４及び針ケース５を保持したままの状態で、蓋２を上下反転して（正常な向きに戻して）容器本体１の上部に取着する。蓋２は、テーパー状孔部１６が下方開口状となるが、テーパー状孔部１６と針ケース５との摩擦力によって、針ケース５及び注射針４を保持する。
次に、図１１に示すように、蓋２の上方から指で押ピン部材７を押圧して、テーパー状孔部１６に保持される針ケース５及び注射針４を容器本体１に突き落とす。針ケース５は、摩擦力をもってテーパー状孔部１６に保持されているので、押ピン部材７を上方から押して、針ケース５の上端部を小さな力で突っ付くだけで、針ケース５がテーパー状孔部１６から押し出され、容器本体１の収納空間３０に落下する。
【００１８】
なお、本発明は、設計変更可能であって、例えば、容器本体１及び蓋２の外形は、各種形状に変更可能である。また、注射針４の取付け・取外しの際、蓋２を上下反転して容器本体１の上部に内挿して設置しても良い。
【００１９】
以上のように、本発明に係る注射針の廃棄容器は、容器本体１と蓋２を備え、注射器本体３と注射針４から成る注射器Ｓから、使い終わった後の注射針４を取外して廃棄するための注射針の廃棄容器に於て、蓋２は、天井壁部１４と周壁部１７を備え、天井壁部１４に凹窪部１２が形成されると共に凹窪部１２の底面に円錐状筒部１０が立設され、筒部１０の内周面によって形成されるテーパー状孔部１６には、注射針４が収納される針ケース５を挿入可能とし、かつ、針ケース５の外周面に設けられた凸凹部１５に係止する回転規制用凹凸面１３を有し、さらに、筒部１０の上端部１１には、突き落とし用押ピン部材７が上下方向スライド自在に設けられているので、注射針４に直接手を触れることなく、安全に、注射器本体３に新しい注射針４を取付け、かつ、使用済の注射針４の取外しができる。押ピン部材７を押すことで、小さな力で、簡単に、注射針４が収納された針ケース５を、テーパー状孔部１６から容器本体１に突き落として廃棄することができる。また、テーパー状孔部１６が大きく開口している為、針ケース５の挿入が容易である。即ち、手指が不自由であったり視力が弱いなどのハンディキャップを持つ糖尿病患者が、安全かつ簡単に、注射針４の取付け、及び、取外し、さらに、廃棄までをスムーズに行うことができる。構造が簡素で、製造が容易であり、コストを低減できる。
【符号の説明】
【００２０】
１  容器本体
２  蓋
３  注射器本体
４  注射針
５  針ケース
７  押ピン部材
１０  筒部
１１  上端部
１２  凹窪部
１３  凹凸面
１４  天井壁部
１５  凸凹部
１６  テーパー状孔部
１７  周壁部
Ｓ  注射器
【図１】
2015139623.tif 000003
【図２】
2015139623.tif 000004
【図３】
2015139623.tif 000005
【図４】
2015139623.tif 000006
【図５】
2015139623.tif 000007
【図６】
2015139623.tif 000008
【図７】
2015139623.tif 000009
【図８】
2015139623.tif 000010
【図９】
2015139623.tif 000011
【図１０】
2015139623.tif 000012
【図１１】
2015139623.tif 000013